(57)【特許請求の範囲】
【請求項１】
複数の切換えエレメントのうちの１つを個別に作動させるために設計され、ハウジングと、前記複数の切換えエレメントを個々に作動させるように前記ハウジングに取り付けられた手作動手段とを備えたスイッチであって、
前記手作動手段は、第１の軸線を規定した２つのピンと、前記第１の軸線に対して垂直な第２の軸線を規定した２つのピンとを有する作動プレートを含み、
前記ハウジングは、前記ピンと協働するためのスロットを含んでおり、
前記作動プレートは、前記ハウジングの裏側に配置されたスイッチパネルの前記切換えエレメントの可動部分に当て付けられる少なくとも１つのロッドを裏側に備え、
前記作動プレートと前記切換えエレメントとの間に、前記ロッドの通路に供するための開口を有する案内プレートを含み、
前記案内プレートは、第１の面で前記ハウジングに当て付けられる複数のロッドを支持し、反対側の面で前記スイッチパネルに当て付けられるロッドを支持することを特徴とするスイッチ。
【請求項２】
前記作動プレートの中央開口内にプッシュボタンを配置することを特徴とする請求項１記載のスイッチ。
【請求項３】
前記作動プレートは、多数の僅かに湾曲した凸状の面領域を有していることを特徴とする請求項１または２記載のスイッチ。
【請求項４】
前記案内プレートは、前記ハウジングと前記案内プレートとが硬く結合されるように、前記ハウジングの裏側に配置されたロッドが挿入される複数の穴を含むことを特徴とする請求項１から３までのいずれか１項記載のスイッチ。
【請求項５】
前記案内プレートと前記切換えエレメントとの間に、ばねプレートを備えたことを特徴とする請求項１から４までのいずれか１項記載のスイッチ。
【請求項６】
前記ピンは、前記ロッドの一体的な部分を形成していることを特徴とする請求項５記載のスイッチ。
【請求項７】
前記案内プレートは、プッシュボタンのためのガイドとしてはたらく中央開口を含むことを特徴とする請求項５または６記載のスイッチ。
【請求項８】
前記ハウジングは、装置のキャビネットの一体的な部分を形成しており、前記スイッチパネルは、前記装置内に配置されたプリント基板の一体的な部分を形成していることを特徴とする請求項５から７までのいずれか１項記載のスイッチ。
【発明の詳細な説明】
【０００１】
【発明の属する技術分野】
本発明は、複数の切換えエレメントの手作動のために設計されたスイッチに関する。
【０００２】
【従来の技術】
多数の制御可能または調節可能なエレメントと、プッシュボタン、ノブ、シフト可能エレメント等の対応して多数の動作エレメントとを含む電子機器においては、単一のスイッチによって複数の機能を作動させる必要がある。これは、特に、コントロールパネル（１０）の光学的外観を向上させたり、コントロールパネル表面上の動作エレメントによって占められるスペースを減じるような場合である。
【０００３】
複数の切換えエレメントの個々の動作を可能にする手作動手段を備えたスイッチは、例えばヨーロッパ特許出願第０５８７４０６号およびドイツ連邦共和国実用新案第９２１０２８６号において、既に提案されている。
【０００４】
実際には、このような多機能スイッチに対する多数の要求が存在する。これらの要求は、特に、低コスト、小型サイズ、高信頼性、およびプリント基板に取り付けられるための良好な特性である。
【０００５】
【発明が解決しようとする課題】
したがって、本発明の課題は、従来技術によるスイッチよりもより広範囲な形式で前記要求を満たす多機能スイッチを提供することである。
【０００６】
【課題を解決するための手段】
本発明は、複数の切換えエレメントのうちの１つを個別に動作させるように設計されたスイッチを提案しており、このスイッチは、ハウジングと、前記複数の切換えエレメントを個々に作動させるために前記ハウジングに取り付けられた手作動手段とを有している。手作動手段は、第１の軸線を規定した２つのピンと、第１の軸線に対して垂直な第２の軸線を規定した２つのピンとを有する作動プレートから構成されている。ハウジングは、ピンと協働するためのスロットを有している。
【０００７】
この特徴により、プレート面の上部、右部、下部または左部を押圧することによって、４つの切換えエレメントのうちの１つのみを全く確実に作動させることができる。なぜならば、２つの切換えエレメントを同時に押圧することができないからである。前記プレートは、多数の僅かに湾曲した凸状の部分領域を有していてよく、各領域は種々異なる方向にプレートを旋回させる。プレートは、分割されてないドーナツ形のボタンとして形成されていてよい。
【０００８】
本発明の１つの実施例によれば、プレートの裏側には、プレートの面に対して垂直方向にハウジング内部へと延びておりかつハウジングの裏側に配置された切換えエレメントの可動部分に当て付けられた、少なくとも１つのロッドが設けられている。ピンは、ロッドと一体的な部分を形成してよい。
【０００９】
本発明の別の実施例によれば、スイッチのハウジングは、前記プレートと前記切換えエレメントとの間に、中央開口を備えた案内プレートを有しており、この案内プレートは、プッシュボタンと、前記ロッドを通過させるために設けられた４つの開口とのためのガイドとして働く。案内プレートは、第１の面において、ハウジング部材に当て付けられる多数のロッドを、反対側の面において、スイッチパネルに当て付けられる多数のロッドを支持している。
【００１０】
本発明の別の実施例によれば、ハウジング部材は、ＣＤプレーヤ等の装置のキャビネットと一体的な部分を形成し、スイッチパネルは、キャビネット内に配置されたプリント基盤の一体的な部分を形成している。
【００１１】
本発明の別の実施例によれば、複数のプッシュボタンが、プレートの複数の開口内に、並んでまたは互いに上下に配置されており、この場合、個々に作動可能な切換えエレメントの数をさらに増加させることができる。
【００１２】
分割されてないプレートは、２つの垂直な軸線を中心にそれぞれ２つの異なる方向へ旋回可能であるので、結局、プレートは、４つの異なる方向に旋回可能であるため、例えば、特にナビゲーション目的のために、画面上のカーソルを４つの垂直方向に、すなわち画面上のあらゆる所望の箇所へ移動させるために使用されてよい。本発明によるプレートと中央ボタンとの配置により、単一のスイッチによって５つの別個の切換えエレメントまたはタクトスイッチのうちのいずれか１つを個別に手作動させることができる。
【００１３】
本発明によるスイッチは、多数の利点を提供する。５つの切換えエレメントまたは機能を、従来の多方向スイッチの代わりに１つのスイッチによって個々に作動させることができるので、コストを大きく節約することができる。付加的に、本発明による配置により、より小型でより軽量のユニットの製造が容易になるので、スペースを節約することができる。特に、プリント基盤上における高密度の実装が可能とされ、低いプロフィルおよび軽量化が大いに実現される。さらに、従来のセグメント型設計と比較して、ウェブ感覚の簡素な外観とスタイリッシュな高画質とが得られる。スイッチ機構および接点構造は、最良のパネル設計の柔軟性を提供する。より少ない締結手段が、簡単な組立てを可能にする。内部の絶縁された瞬間的機構と、接点構造とにより、この構造は、プリント基盤の歪曲に対してより耐性となる。
【００１４】
本発明によるスイッチは、多数の種々異なる有利な用途を提供する。例えば、データ入力機器、特にマウスやマイクロトラックボール等のポインティング装置および通信機器の動作および設定のために使用されてよい。別の用途は、種々異なる電子機械において、マイクロスイッチを動作スイッチとして使用している装置である。スイッチは、カーオーディオシステム、カーナビゲーションシステムにおいて、自動車のサイドミラーの調節のために、さらには、グラフィック入力装置およびイコライザ等のオーディオ装置のカーソル制御のために使用されてよい。最後に、スイッチは、このようなアイテム、特にポータブル型電子機器に対する様々な調節を行うために使用することができる。別の可能な応用分野は、あらゆるタイプの、オーディオ製品、事務機器、通信機器、測定器具、テレビ受像器、ビデオレコーダ、特に、携帯電話等の高密度の実装を必要とする小型バージョンであってよい。
【００１５】
【発明の実施の形態】
本発明の１つの実施例が、今や、添付図面を参照して説明される。
【００１６】
図１は、スイッチのハウジング部材１を示しており、ハウジング部材１は、矩形の開口２と、ハウジング部材１の裏側に設けられた４つのロッド３と４つの側壁４とを有しており、４つの側壁４のそれぞれにはスロット５が設けられている。開口２と同じ寸法を有する矩形の作動プレート６は、複数の僅かに湾曲した面領域７と、中央開口８と、裏側から延びた４つのロッドとを有しており、４つのロッドのそれぞれにはこのロッドに対して垂直に向けられたピン１０が設けられている。作動プレート６は、ハウジング部材１の開口２に挿入され、４つのピン１０はスロット５と協働する。このようにして、作動プレート６は、ハウジング部材１内において、２つの対向するピン１０によって規定された水平軸線を中心とする方向と、別の２つの対向するピン１０によって規定された垂直軸線を中心とする方向とに旋回することができる。さらに、作動プレート６の中央開口８に嵌合する、脚部２０を有するプッシュボタン２１が設けられている。
【００１７】
次に、案内プレート１１が設けられており、案内プレート１１は、プレート１１の上縁部と下縁部とに設けられたロッド３と整合する４つの孔１２と、ロッド９と整合する４つの開口１３と、プッシュボタン２１と整合する中央の矩形の開口１４とを有している。ハウジング部材１のロッド３が、孔１２に挿入され、これにより、ハウジング部材１と案内プレート１１とは、堅く結合され、剛性構造を形成する。案内プレート１１のロッド１８がハウジング部材１に当て付けられるのに対し、案内プレート１１のロッド１９は、このスイッチ構造の末端に設けられたスイッチパネル１５の４つの孔２８に挿入される。
【００１８】
スイッチパネル１５は、図示された配置において、スイッチパネル１５の表面に５つの切換えエレメント１６を支持している。案内プレート１１とスイッチパネル１５との間には、ロッド９と整合する４つのばね状の部材２２を備えたばねプレート１７が設けられている。ばねプレート１７内の開口２３は、中央の切換えエレメント１６ａを作動させるように、プッシュボタン２１の脚部２０の通過を可能にしている。
【００１９】
次に、前記スイッチの動作を説明する。切換えエレメント１６のうちの１つを作動させるために、操作者は、プレート６またはプッシュボタン２１の上部、右部、下部または左部を押圧し、これにより、スイッチパネル１５上に設けられた対応する切換えエレメント１６が、ロッド９のうちの１つまたはプッシュボタン２１の脚部２０によって作動させられる。したがって、分離した切換えエレメント１６を、単一のプレート６およびプッシュボタン２１のみによって、操作者によって個々に作動させることができる。
【００２０】
ハウジング部材１が、ＣＤプレーヤのキャビネットと一体的な部分であってよいのに対し、スイッチパネル１５は、前記キャビネット内に取り付けられたプリント基盤に取り付けられてよい。エレメント６，２１，１１，１７等のその他のエレメントは、キャビネットおよびプリント基盤の組立中に挿入される。
【００２１】
図２は、ハウジング部材１を裏側から示しており、ハウジング部材１は、それぞれがスロット５を有する４つの側壁４と、図１の矩形のプレート６を収容するための中央の開口２と、図１による案内プレート１１の孔１２に挿入される４つのロッド３とを有している。
【００２２】
図３は、作動プレート６を裏側から示しており、作動プレート６は、切換えエレメント１６に当て付けられる４つのロッド９と、ロッド９と一体的な部分を形成しかつ図１および図２のスロット５と協働する４つのピン１０と、プッシュボタン２１を収容するための中央開口８とを有している。
【００２３】
図４は、図１の案内プレート１１を右側から示しており、案内プレート１１は、４つのロッド１９と、４つのロッドを通過させるための４つの開口１３と、プッシュボタン２１のためのガイドとしてはたらく中央開口１４とを有している。
【００２４】
図５は、４つのばね部材２２を有するばねプレート１７を示しており、ばねプレート１７は、ロッド９による切換えエレメントの急作動を保証するために、ロッド９の端部と、スイッチパネル１５の対応する４つの切換えエレメント１６との間に介在させられる。
【図面の簡単な説明】
【図１】本発明によるスイッチの全てのエレメントの斜視図である。
【図２】スイッチのハウジング部材の斜視図である。
【図３】図１に示した作動プレートの斜視図である。
【図４】動作プレートと、プッシュボタンとをガイドするために設けられた案内プレートである。
【図５】切換えエレメントを作動させるためのばねプレートである。
【符号の説明】
１  ハウジング部材、  ２  開口、  ３，１９  ロッド、  ４  側壁、  ５  スロット、  ６  作動プレート、  ７  面領域、  ８  中央開口、  ９，１８  ロッド、  １０  ピン、  １１  案内プレート、  １２，２８  孔、  １３  開口、  １４  中央開口、  １５  スイッチパネル、  １６  切換えエレメント、１６ａ  切換えエレメント、  １７  ばねプレート、  ２０  脚部、  ２１  プッシュボタン、  ２２  ばね状の部材、  ２３  孔
【図１】
0004920837.tif 000002
【図２】
0004920837.tif 000003
【図３】
0004920837.tif 000004
【図４】
0004920837.tif 000005
【図５】
0004920837.tif 000006